(57)【要約】リュックサックは、背面部１２と、背面部１２に対向する前面部１１と、背面部１２および前面部１１の下部を接続する底面部１３と、背面部１２および前面部１１の側部および上部を接続する周面部１４と、開閉可能な開口部７とにより構成される収納部１と、前記収納部１に取り付けられた一対の肩ベルト２とを備え、収納部１の背面部１２、底面部１３および周面部１４の少なくともいずれか一つに浮力材Ｆが設けられ、収納部１の外部および内部を連通する孔が設けられた連通部を有する。
2018154715.tif 000002
【特許請求の範囲】
【請求項１】
背面部と、前記背面部に対向する前面部と、前記背面部および前記前面部の下部を接続する底面部と、前記背面部および前記前面部の側部および上部を接続する周面部と、開閉可能な開口部とにより構成される収納部と、
前記収納部に取り付けられた一対の肩ベルトと、
を備えるリュックサックであって、
前記収納部は、前記背面部、前記底面部および前記周面部の少なくともいずれか一つに浮力材が設けられ、前記収納部の外部および内部を連通する孔が設けられた連通部を有することを特徴とするリュックサック。
【請求項２】
前記連通部は、前記収納部の上部および下部に設けられていることを特徴とする請求項１記載のリュックサック。
【請求項３】
前記連通部は、前記前面部に設けられていることを特徴とする請求項１または２記載のリュックサック。
【請求項４】
前記連通部は、前記背面部の上部に設けられていることを特徴とする請求項１〜３のいずれか一項に記載のリュックサック。
【請求項５】
前記連通部は、前記底面部に設けられていることを特徴とする請求項１〜４のいずれか一項に記載のリュックサック。
【請求項６】
前記連通部は、複数の孔が形成されたメッシュ部であることを特徴とする請求項１〜５のいずれか一項に記載のリュックサック。
【請求項７】
前記連通部は、ハトメ孔であることを特徴とする請求項１〜６のいずれか一項に記載のリュックサック。
【請求項８】
前記周面部は、前記底面部と接続する一方の端部から、当該周面部の長手方向に沿って他方の端部まで掛け渡した補強テープを備えることを特徴とする請求項１〜７のいずれか一項に記載のリュックサック。
【請求項９】
前記背面部の下部を幅方向に横断するように取り付けられたヒップベルトをさらに有し、前記背面部とヒップベルトの接続部は補強パッドに覆われていることを特徴とする請求項１〜８のいずれか一項に記載のリュックサック。
【請求項１０】
前記背面部は、前記背面部と前記肩ベルトの接続部分を覆い、前記背面部を幅方向に横断する補強ベルトを備えることを特徴とする請求項１〜９のいずれか一項に記載のリュックサック。
【請求項１１】
浮力材が設けられた一対の胴部を備えた胴衣をさらに有していることを特徴とする請求項１〜１０のいずれか一項に記載のリュックサック。
【発明の詳細な説明】
【技術分野】
【０００１】
本発明は、リュックサックに関する。
【背景技術】
【０００２】
地震や大雨等の災害が発生したときには、急いで安全な場所に避難する必要がある。その際に、食料、飲料水、医療用品等の避難に必要な用品を全て持ち出すことは難しい。そこで、それらの用品を予め収納したリュックサックを用意し、家庭、学校、職場に常備しておくことが推奨されている。災害発生時にリュックサックを持って避難すれば、収納した用品を避難場所での生活に役立てることができる。【０００３】
地震や大雨等の災害では、避難の途中で洪水や津波に巻き込まれる可能性がある。例えば、避難者が海の沖まで流されれば、海上で長時間救助を待たなくてはならない。しかしながら、長時間水の中で浮いた姿勢を保つことは非常に困難である。そこで、避難用のリュックサックに、避難者が水の中で浮くのを補助する機能を持たせることが提案されている。例えば、リュックサックの収納部の密閉性を高め、避難者が水に入ったときに収納部が浮き袋の機能を果たすようにしたものが提案されている。また、例えば、リュックサックの収納部や肩ベルトに浮力材を取り付けたものも提案されている（例えば、特許文献１参照）。
【先行技術文献】
【特許文献】
【０００４】
【特許文献１】実開昭５３−１１９２０８号公報
【発明の概要】
【発明が解決しようとする課題】
【０００５】
避難者がリュックサックを背負った状態で水に入ると、リュックサックが水面に浮き上がるため、避難者はうつぶせのような状態となり、顔が水中に入りやすくなる。また、収納部の内部の空気が移動してしまい、安定した状態を保つことは難しい。このような状態では、呼吸のために顔を水上に上げておくのに体力を消耗してしまう。【０００６】
また、使用者が水中で救助を待っている間にリュックサックの収納部に大量の水が入ると重くなるため、避難者が自力で水から上がる際や、救助者が避難者を水から引き揚げる際に負担となる可能性がある。【０００７】
本発明は、上述の課題を解決するために、避難者が体力を消耗しにくい体勢で水に浮くことを可能にし、さらに水から上がる際の負担を低減することができるリュックサックを提供することを目的とする。
【課題を解決するための手段】
【０００８】
上記の目的を達成するために、本発明のリュックサックは、背面部と、前記背面部に対向する前面部と、前記背面部および前記前面部の下部を接続する底面部と、前記背面部および前記前面部の側部および上部を接続する周面部と、開閉可能な開口部とにより構成される収納部と、前記収納部に取り付けられた一対の肩ベルトと、を備えるものであって、
前記収納部は、前記背面部、前記底面部および前記周面部の少なくともいずれか一つに浮力材が設けられ、前記収納部の外部および内部を連通する孔が設けられた連通部を有する。
【発明の効果】
【０００９】
本発明によれば、避難者がリュックサックを背負った状態で水に入ると、収納部に設けられた孔から収納部の内部に水が入り、収納部内部の空気が抜ける。一方、収納部には浮力材が取り付けられているため、避難者は身体が仰向けの状態で浮き上がった状態を維持しやすい。これによって、避難者は顔を上に向けた体力の消耗しにくい安定した姿勢で救助を待つことができる。また、避難者が水から上がる際には、収納部の内部に入った水は、収納部の孔から速やかに抜ける。これによって、収納部の重量による避難者の負担を低減することができる。このように、本発明のリュックサックは、避難時に必要なものを持ち運べる利便性のみならず、水中に浮く際および水中から脱する際の安全性を高めることができる。
【図面の簡単な説明】
【００１０】
【図１】本発明のリュックサックの構成を示す正面斜視図である。
【図２】開口部を開口した状態を示す模式図である。
【図３】本発明のリュックサックの構成を示す背面斜視図である。
【図４】本発明のリュックサックの構成を示す正面図である。
【図５】本発明のリュックサックの構成を示す背面図である。
【図６】本発明のリュックサックの構成を示す右方側面図である。
【図７】本発明のリュックサックの構成を示す左方側面図である。
【図８】本発明のリュックサックの構成を示す平面図である。
【図９】本発明のリュックサックの構成を示す底面図である。
【図１０】浮力材の一例を示す図である。
【図１１】胴部の構成を裏地側から示した図である。
【図１２】背面部のヒップベルトの縫い付け部分を示す図である。
【図１３】本発明のリュックサックの作用を示す図であり、使用者が水に入ったときの状態を示す図である。
【図１４】比較例のリュックサックの作用を示す図であり、使用者が水に入ったときの状態を示す図である。
【図１５】本発明のリュックサックの作用を示す図であり、使用者が水から上がるときの状態を示す図である。
【発明を実施するための形態】
【００１１】
以下、本発明の実施形態について、図面を参照して具体的に説明する。
１．構成
本発明の実施の形態にかかるリュックサックの構成を説明する。
図１〜図８に、本発明のリュックサックの構成を示している。
図１は正面斜視図、図２は開口部を開口した状態の模式図、図３は背面斜視図、図４は正面図、図５は背面図、図６は右方側面図、図７は左方側面図、図８は平面図、図９は底面図である。なお、図２は開口した状態をわかりやすくするために、詳細構成は省略している。
【００１２】
図１および図３に示すように、リュックサックは、収納部１、肩ベルト２、胸ベルト３、ヒップベルト４、股ベルト５および胴衣６を備えている。収納部１は内部が中空の略直方体であり、図２に示すように、ファスナー１５で開閉する開口部７が設けられている。使用者は、開口部７を介して、収納部１の内部に食料、飲料水、医療用品等の避難に必要な用品を収納し、また必要に応じて内部からそれらの用品を取り出す。詳細は後述するが、収納部１には浮力材が設けられており、収納部１は使用者が水の中で浮くことを補助する機能も備えている。
【００１３】
肩ベルト２、胸ベルト３、ヒップベルト４、および股ベルト５は、使用者がリュックサックを背負ったときに、使用者の身体に装着することで、リュックサックが使用者の身体から脱落することを防ぐ。胴衣６は、リュックサックを背負ったときに、使用者の身体の前側の胴を覆う。胴衣６は浮力材を備えて構成されており、収納部１と合わせて、使用者が水の中で浮くことを補助する。胴衣６はまた、使用者の身体におよぶ衝撃を低減するクッションとしての役目も果たす。
【００１４】
図１および図３に示すように、収納部１は、前面部１１、背面部１２、底面部１３および周面部１４を備える。背面部１２および前面部１１は略長方形で、収納部１の内部空間を挟んで対向する。背面部１２またはその近傍に、使用者が肩を通して収納部１を背負うことを可能とするための肩ベルト２が取り付けられる。これにより使用者がリュックサックを背負ったときに背面部１２が使用者の背中に接触する。底面部１３は、図９に示すように、前面部１１と背面部１２の一方の短辺を接続する。周面部１４は、図３および図４に示すように、細長の略長方形で、前面部１１と背面部１２の一方の長辺に接続し、他方の短辺に掛け渡されて他方の長辺に接続する。周面部１４は、また、底面部１３の両方の短辺にも接続する。以降、リュックサックの前面部１１と背面部１２の底面部１３と接続する一方の短辺側を「下側」とし、周面部１４と接続する他方の短辺側を「上側」として説明する。また、前面部１１および背面部１２の短辺の延びる方向を「幅方向」とし、長辺の延びる方向を「高さ方向」とし、底面部１３の短辺の延びる方向を「奥行き方向」とする。
【００１５】
背面部１２、底面部１３および周面部１４には、それぞれ浮力材が設けられている。浮力材は、基本的には、各部を構成する表地と裏地の間に挟み込まれる形で設けられているが、詳細については各部の説明と共に後述する。なお、前面部１１には浮力材は基本的には設けられていない。なお、背面部１２、底面部１３および周面部１４の全てに浮力材を設けなくても良く、いずれか一つあるいは二つのみに浮力材を設けるようにしても良い。
【００１６】
図１０は、浮力材の例を示す図である。浮力材Ｆは特定のものに限られないが、例えばエチレン・ビニル・アセテート（ＥＶＡ）、ポリエチレン、ポリ塩化ビニルなどの発泡樹脂を用いることができる。浮力材Ｆは、リュックサックの内部に荷物を収納した状態で、使用者が水に浮かぶことができる浮力を得られるように、各部の寸法に合わせて大きさや厚みを適宜設定することができる。例えば、図１０の（Ａ）に示すように、背面部１２には薄い板状の浮力材Ｆを用いる。また、例えば、図１０の（Ｂ）に示すように、底面部１３には厚みのある板状の浮力材Ｆを用いることができる。
【００１７】
背面部１２、前面部１１、底面部１３および周面部１４は、各部を縫い合わせる等して接続されているが、図２に示すように、前面部１１と周面部１４とはファスナー１５で接続されている。すなわち、前記した開口部７は、前面部１１と周面部１４の境界に設けられている。ファスナー１５のスライダーを動かすことによって、前面部１１を周面部１４と分離して開口部７を開口する。ファスナー１５のスライダーは、両方向への開閉が可能なように２個取り付けても良い。ファスナー１５のテープの両端の部分には、前面部１１と周面部１４を接続する三角布１６が取り付けられている。三角布１６は中心が収納部１の内部に折れ曲がるよう折り目が付けられている。この三角布１６によって、リュックサックを縦にしたままファスナー１５を全開にした場合でも、収納部１の内部の荷物がこぼれにくい。無論、開閉のための機構はファスナーに限られるものではなく、収納部１を開閉可能とするものであれば他の方法を用いてもかまわない。
【００１８】
図１および図４に示すように、前面部１１は、上部と下部にはメッシュ部１１０、１１１がそれぞれ設けられている。メッシュ部１１０、１１１は、複数の微細な孔が形成されたポリエステルで構成されている。メッシュ部は、たとえば、孔の大きさが異なる２枚のポリエステル（表地と裏地）を縫い合わせた構成となっている。表地の方が、裏地よりも孔が大きい。これによって、外部から収納部１の内部が見えにくくなる。
【００１９】
メッシュ部１１０、１１１は、収納部１の外部と内部を連通する連通部である。連通部を設けることによって、リュックサックが水に入ると、開口部７のファスナー１５が閉じている状態でも、収納部１の内部に水が入りやすくなり、かつ内部の空気は排出されやすくなる。
【００２０】
上部および下部のメッシュ部１１０、１１１のそれぞれの幅方向の中心には波形テープ１１２、１１３が縫い付けられている。波形テープ１１２、１１３には、例えばヘルメットのベルトを取り付けることできる。もちろん、ヘルメットに限られず、様々なものを取り付けることができる。
【００２１】
前面部１１のメッシュ部１１０、１１１の間には、ポケットが設けられている。ポケットは、表地と裏地の間に形成された大ポケット１１４と、大ポケット１１４の内部からアクセス可能な小ポケット１１５を備えている。表地の素材は防火加工を施したナイロンであり、裏地の素材はポリエステルである。上側のメッシュ部の下に、大ポケット１１４を開閉するためのファスナー１１６が設けられている。ファスナー１１６の下に、ポケットの幅方向に延びる帯状のリフレクター１１７が縫い付けられている。リフレクター１１７によって、夜間等の視界の悪いときでも、リュックサックを背負った使用者の存在を周囲に認識させやすくできる。
【００２２】
小ポケット１１５はリフレクター１１７の下に設けられている。大ポケット１１４を形成する表地を方形に切り取って透明なビニルシートを縫いつけ、ビニルシートの裏に表地と同じナイロン布を縫い付けた構成となっている。そのため、小ポケット１１５の中身は外部から視認できるようになっている。使用者の氏名、血液型、病歴等の個人情報を記載した名札等を小ポケット１１５に入れておくことによって、救助の際に使用者の身元を確認しやすく、また救助に必要な情報をえることができる。小ポケット１１５は、幅方向の中心で二つに分けられており、左右の部分に異なるものを入れることができる。
【００２３】
図３および図５に示すように、背面部１２の上部には、前面部１１と同様にメッシュ部１２０が設けられている。背面部１２の上部以外の部分は、防火加工を施したナイロン（表地）とポリエステル（裏地）を２枚縫い合わせた構成であり、表地と裏地の間には薄い板状の浮力材Ｆ（図１０の（Ａ）参照。）が挟みこまれている。メッシュ部１２０は、孔の大きさが異なる２枚のポリエステル（表地と裏地）を縫い合わせた構成となっている。表地の方が、裏地よりも孔が大きい。これによって、外部から収納部１の内部が見えにくくなる。メッシュ部１２０は、収納部１の外部と内部を連通する連通部である。
【００２４】
背面部１２のメッシュ部１２０の幅方向の中心にハトメ孔１２１が設けられている。ハトメ孔１２１は、平常時は、収納部１の内部の通気を確保するのに役立つ。また、リュックサックが水に入った際には、ハトメ孔１２１から水が収納部１の内部に入りやすくなる。さらに、リュックサックを水から出した際には、ハトメ孔１２１から水が内部に排出しやすくなる。すなわち、このハトメ孔１２１も、メッシュ部１２０と同様に、収納部１の外部および内部を連通する連通部として機能する。ハトメ孔１２１の大きさは特定のものに限られないが、例えば直径１ｃｍ程度とすることができる。
【００２５】
背面部１２には、肩ベルト２、胴衣６およびヒップベルト４が取り付けられている。
肩ベルト２は、左右一対のベルトである。使用者は両肩をそれぞれのベルトに通すことで、リュックサックを背負う。図３および図５に示す例では、肩ベルト２の上端は、背面部１２の上部において、メッシュ部１２０の下端に縫い付けられている。肩ベルト２の下端は、背面部１２の下部において、背面部１２と周面部１４の間に縫いこまれている。図６および図７に示すように、肩ベルト２の下端の、背面部１２に対する取り付け角度は直角ではなく、略４５°斜め上方となっている。下端の取り付け部分は、縫い合わせた２枚の三角布２１で挟みこまれて補強されている。
【００２６】
肩ベルト２は、肩を通すことにより使用者が収納部を背負うことを可能とするためのものであるから、その取り付け方は、通常のリュックサックにおいて使用される様々な形態を採用することが可能である。たとえば、肩ベルト２の上端を収納部１の背面部１２又は周辺部１４に、その下端を背面部１２又は底面部１３に縫い付ける等の構成を採用することができることは勿論である。
【００２７】
図５に示すように、胴衣６は使用者の胴の前面腹部を覆う左右一対の胴部６Ａ、６Ｂから構成されている。右側の胴部６ＡはＬ字形状、左側の胴部６ＢはＬ字を左右反転させた形状となっている。左側の胴部は、右側の胴部を反転させた構成であるため、ここでは右側の胴部６Ａの構成について説明する。
【００２８】
胴部６Ａは、浮力材ＦをＬ字形状の表地と裏地で挟み込んだ構成となっている。表地の素材は防火加工を施したナイロンであり、裏地の素材はジャージ織りにより伸縮性を持たせたポリエステルである。
【００２９】
図１１は、胴部６Ａの構成を裏地側から示した図である。図１１では、図面右側が、リュックサックの幅方向中心になる。図１１に示すように、胴部６Ａの浮力材Ｆは、３つの棒状の浮力材Ｆであり、これらが隙間Ｄを空けて平行に配置されている。幅方向中心の最も近傍に位置する浮力材Ｆは、他の２つの浮力材Ｆより長く、高さ方向に突出している。すなわち、この長い浮力材Ｆの突出した部分が、Ｌ字形状の胴部６Ａの突出部６３を構成する。
【００３０】
胴部６Ａは、３本の浮力材Ｆを表地の上に隙間をあけて配置し、裏地で浮力材Ｆを輪郭が浮き出るように覆い、表地と裏地の外周を補強テープ６４で縁取りして縫い付けて構成する。表地と裏地は、各浮力材Ｆ間の隙間Ｄの両端位置でも縫いつけられており、これによって浮力材Ｆの間の隙間Ｄが維持される。すなわち、胴部６Ａの表地側は平坦な面であるが、裏地側は浮力材Ｆと浮力材Ｆ間の隙間Ｄによって、凹凸が形成された面になっている。
【００３１】
図８および図９に示すように、左右の胴部６Ａ、６Ｂは、裏地側が背面部１２と面するように配置される。図３および図５に示すように、肩ベルト２とヒップベルト４は、胴部６Ａ、６Ｂの表側に回りこむように装着される。そのため、使用者がリュックサックを背負って肩ベルト２とヒップベルト４を装着すると、胴部６Ａ、６Ｂの浮力材Ｆがたわむ。具体的には、浮力材Ｆ間の隙間Ｄは、表地側では表地と裏地が縫いつけられているため維持されるが、使用者の身体に近づくにつれて狭くなる。これによって、胴部６Ａ、６Ｂは使用者の身体にフィットする。
【００３２】
左右の胴部６Ａ、６ＢのＬ字形状の突出部６３の上端は、前記した肩ベルト２の上端と共に背面部１２のメッシュ部の下端に縫い付けられている。具体的には、肩ベルト２が左右の胴部６Ａ、６Ｂの表地の上に重ねられて背面部１２に縫い付けられている。胴部６Ａ、６Ｂと肩ベルト２は２度縫いを行って背面部１２に強固に縫い付けられ、さらに上から補強テープ１２２が縫い付けられている。補強テープ１２２は背面部１２を幅方向に横断するように縫い付けられている。
【００３３】
肩ベルト２は、胴部６Ａ、６Ｂに一体的に縫い付けられた部分と、胴部６Ａ、６Ｂから分離している部分とがある。なお、図３および図５では、理解しやすいように、肩ベルト２の縫い付け部分のみ縫い目を点線で示している。肩ベルト２の上部は、胴部６Ａ、６Ｂの突出部６３の長手方向中心に沿って表地に縫い付けられている。肩ベルト２の上部が胴部６Ａ、６Ｂに縫い付けられていることによって、胴部６Ａ、６Ｂの突出部６３は肩ベルト２と一体化している。そのため、使用者は胴部６Ａ、６Ｂの突出部６３を間に挟んで肩ベルト２を肩に通すことになる。すなわち、胴部６Ａ、６Ｂは胴衣６としての機能と同時に、肩ベルト２としての役割も果たす。前記したように胴部６Ａ、６Ｂの突出部６３には浮力材Ｆが挟み込まれているためクッション性が高く、使用者の肩にかかる負担を低減できる。ここでは、突出部６３に肩ベルト２を縫いつけた構成を説明したが、突出部６３と肩ベルト２を同じ素材で一体として形成しても良い。
【００３４】
肩ベルト２の上部には、リフレクター２２が、突出部６３と肩ベルト２の上から縫いつけられている。前面部１１のリフレクター１１７と同様に、このリフレクター２２によって、夜間等の視界の悪いときでも、リュックサックを背負った使用者の存在を周囲に認識させやすくできる。
【００３５】
肩ベルト２の中間部は胴部と分離している。この中間部に一対の胸ベルト３が取り付けられている。一対の胸ベルト３にはそれぞれ差し込み具および受け具からなるバックルが取り付けられている。使用者が肩ベルト２を肩に通した上で、胸ベルト３のバックルの差し込み具を受け具に差し込むことで、肩ベルト２が使用者の肩から脱落することを防ぐことができる。
【００３６】
肩ベルト２の下部の一部において、肩ベルト２は再び胴部に縫い付けられる。この下部縫い付け部Ｔは、二つの縫い目Ｔ１、Ｔ２からなっている。一つ目は、背面部１２の幅方向と平行に、肩ベルト２を横断する縫い目Ｔ１である。縫い目Ｔ１によって、使用者がリュックサックを背負った際に肩ベルト２が胴衣６からずり上がるのを防ぐ。二つ目は、縫い目Ｔ１の周面部１４側の端部から幅方向中心に向かって、略４５°下方に傾斜した縫い目Ｔ２である。前記したように、肩ベルト２の下端は、背面部１２に略４５°斜めに取り付けられている。縫い目Ｔ２を、肩ベルト２の取り付け角度と平行にすることによって、使用者が肩ベルト２を引っ張った際等に下部縫い付け部Ｔに均一な力がかかるため、下部縫い付け部Ｔの破損を低減することができる。
【００３７】
この下部縫い付け部Ｔの下で、肩ベルト２と胴部は再び分離している。この下側の分離部に、肩ベルト２の長さを調整するためのアジャスター２３が設けられている。
【００３８】
ヒップベルト４は、背面部１２の下部から左右の胴部の表地側に回り込むように取り付けられている。ヒップベルト４の一端にはバックルの受け具、他端にはバックルの差し込み具が取り付けられている。使用者がリュックサックを背負った際に、ヒップベルト４は使用者の腰付近に位置する。
【００３９】
図１２に示すように、背面部のヒップベルトの縫い付け部分を示す図である。ヒップベルト４の中央部は、背面部１２の下部に、幅方向に横断するように縫い付けられている。背面部１２のヒップベルト４が縫い付けられた部分には、ヒップベルト４の上から補強パッド４１が縫い付けられている。補強パッド４１は、背面部１２の表地と同じ素材である防火加工を施したナイロンで構成されている。
【００４０】
図３、図６および図７に示すように、ヒップベルト４の左右の端部は、それぞれ２箇所ずつ、取り付け部４２を介して左右の胴部６Ａ、６Ｂの表地に取り付けられている。取り付け部４２は、長方形のテープの長辺を、リュックサックの高さ方向に平行になるように配置し、二つの短辺を胴部に縫い付けて構成したものである。すなわち、ヒップベルト４を胴部とテープの間を通すことによって、ヒップベルト４を胴部に取り付ける。ヒップベルト４は胴部に取り付けられているが、直接的に縫い付けられてはいないので、ヒップベルト４が脱落することを防ぎつつ、ヒップベルト４によって使用者の動きが制限されることがない。
【００４１】
周面部１４は、防火加工を施したナイロンの表地とポリエステルの裏地を２枚縫い合わせた構成であり、表地と裏地の間には薄い板状の浮力材Ｆが挟みこまれている。周面部１４の表地の、長手方向の中央部に沿って、補強テープ１４１が縫い付けられている。補強テープ１４１は、周面部１４の底面部１３と接続する一方の端部から他方の端部まで掛け渡されている。周面部１４の上部には、補強テープ１４１の上から取っ手１４２が縫い付けられている。周面部１４の両側の下部には、サイドポケット１４３が取り付けられている。サイドポケット１４３はメッシュ素材であり、例えば、飲料容器や懐中電灯を入れることができる。
【００４２】
底面部１３は、２枚重ねのポリエステルの裏地に、表地を縫い合わせた構成である。２枚の裏地の間に、板状の浮力材Ｆ（図１０（Ｂ）参照）が挟みこまれている。図９に示すように、表地は、防火加工を施したナイロンとメッシュ部１３１を、ファスナー１３２で繋ぎ合わせた構成となっている。ファスナー１３２は、底面部１３の奥行き方向の中心よりも背面部１２寄りの位置に、底面部１３の幅方向を横断するように設けられている。ファスナー１３２の背面部１２側がメッシュ部１３１であり、前面部１１側がナイロンである。メッシュ部１３１は、前面部１１および背面部１２のメッシュ部１１０、１１１、１２０と同様に、目の粗さが異なる２枚のメッシュを縫い合わせた構成となっている。表地の方が、裏地よりも孔が大きくなっており、外部から収納部１の内部が見えにくくなる。メッシュ部１３１は、収納部１の外部と内部を連通する連通部である。
【００４３】
底面部１３の表地と裏地の間の空間は、ナイロンとメッシュ部１３１を接続するファスナー１３２によって開閉可能な底面ポケットとなっている。この底面ポケット１３３には股ベルト５が収納されている。股ベルト５の基端は、底面ポケットの内部の裏地に縫い付けられている。股ベルト５の先端には、バックルの差込具が取り付けられている。この差し込み具に対応するバックルの受け具は、ヒップベルト４に取り付けられている。リュックサックを背負う際には、底面ポケットのファスナーを開けて中から股ベルト５を取り出し、股の間から身体の前側に回して、先端の差し込み具をヒップベルト４に取り付けられた受け具に差し込む。
【００４４】
肩ベルト２、胸ベルト３、ヒップベルト４、股ベルト５は、それぞれ異なる色とすると良い。これによって、使用者が緊迫した状況下においても、ベルトの種類を見分けて装着しやすくなる。
【００４５】
２．作用
本発明の実施の形態にかかるリュックサックの作用を説明する。
まず、使用者がリュックサックを背負って水に入ったときの、リュックサックの作用を説明する。
図１３は、水に入ったときの本発明のリュックサックの作用を示す図である。
図１３（ａ）に示すように、使用者がリュックサックを背負って水に入ると、重力方向下側に位置する連通部であるメッシュ部１１１、１３１から収納部１の内部に水が流れ込み、重力方向上側に位置する連通部であるメッシュ部１１０、１２０、ハトメ孔１２１からは空気が排出されやすくなる。
【００４６】
リュックサックの背面部１２、底面部１３、周面部１４および胴衣６には浮力材Ｆが設けられている。一方、前面部１１には浮力材Ｆが設けられていない。そのため、背面部１２、底面部１３、周面部１４および胴衣６には水面に浮き上がる力がはたらき、浮力材Ｆが設けられていない前面部１１が下になる。これによって、使用者を水面に押し上げる力がはたらき、図１３（ｂ）に示すように、使用者は収納部１の上に仰向けに近い状態で水に浮くことになる。使用者は、顔が水面の上に出るため、呼吸をしやすい。また、収納部１の内部の空気は排出されているため、収納部１の内部の空気が動くことによってリュックサックが不安定にならず、安定して水に浮くことができる。
【００４７】
さらに、胴衣６の胴部６Ａ、６Ｂに浮力材Ｆが設けられていることにより、使用者の腹側（身体の正面側。以下同じ。）の浮力が増加するため、使用者が仰向けに近い状態で水に浮く助けとなる。
【００４８】
ここで、リュックサックに連通部（メッシュ部とハトメ孔）が設けられていないと、使用者がリュックサックを背負って水に入っても、収納部１の内部に水が入りにくく、収納部１内部の空気が抜けにくい。図１３は、連通部が設けられていないリュックサックの作用を示した図である。図１４に示すように、収納部１は内部に保持される空気によって浮き袋のような状態となり、前面部１１を含む収納部１の全体が水面に浮き上がろうとする。これによって、使用者を水面に押し付ける力がはたらき、使用者は収納部１の下でうつぶせに近い状態になりやすい。この場合は、使用者の顔が水面の下に入りやすいため、呼吸を確保するために顔を水面の上に上げる力が必要となり、体力を消耗しやすい。また、もし収納部１の上に仰向けに浮くことができても、収納部１の内部に入っている空気によって収納部１が動きやすく、使用者は安定して仰向けになることが難しい。
【００４９】
次に、使用者が水から上がったときの、本発明のリュックサックの作用を説明する。
図１５は、水から上がったときの本発明のリュックサックの作用を説明する図である。
使用者がリュックサックを背負ったまま水に入ると、前記したように収納部１の内部に水が入る。図１４に示したリュックサックの場合も、収納部１が防水素材でなければ、時間がたつと収納部１の内部に水が浸入する。使用者が水から上がるとき、収納部１の内部に水が入ったままであると、収納部１が重くなって、使用者への負担が大きい。
【００５０】
一方、図１５に示すように、本発明のリュックサックでは、使用者が水から上がる際に、連通部であるメッシュ部１１０、１１１、１２０、１３１とハトメ孔１２１から、収納部１内部の水が外部へ排出される。これによって、収納部１は軽くなり、使用者への負担も低減することができる。
【００５１】
３．効果
（１）以上詳述したように、実施の形態のリュックサックは、背面部１２と、背面部１２に対向する前面部１１と、背面部１２および前面部１１の下部を接続する底面部１３と、背面部１２および前面部１１の側部および上部を接続する周面部１４と、開閉可能な開口部７とにより構成される収納部１と、前記収納部１に取り付けられた一対の肩ベルト２とを備え、収納部１の背面部１２、底面部１３および周面部１４の少なくともいずれか一つに浮力材Ｆが設けられ、収納部１の外部および内部を連通する孔が設けられた連通部を有する。
【００５２】
実施の形態のリュックサックは、使用者が水に入ると、連通部であるメッシュ部１１０、１１１、１２０、１３１から収納部１の内部に水が入りこむことによって、内部の空気が速やかに排出される。収納部１には浮力材Ｆが設けられているため、収納部１は浮き上がる。これによって、使用者はリュックサックに背中を押し付けられ、収納部１の上に仰向けに近い状態で水に浮く。使用者は、顔が水面の上に出るため、呼吸をしやすい。また、収納部１の内部の空気は排出されているため、収納部１の内部の空気が動くことによってリュックサックが不安定にならず、安定して水に浮くことができる。さらに、使用者が水から上がる際には、連通部であるメッシュ部１１０、１１１、１２０、１３１から収納部１の内部に入った水が外部へ排出される。これによって、収納部１は軽くなり、水から上がろうとする使用者への負担も低減することができる。以上述べたように、実施の形態のリュックサックは、避難時に必要なものを持ち出せる利便性のみならず、水中に浮く際の安全性を高めることができる。
【００５３】
（２）連通部であるメッシュ部１１０、１１１、１２０、１３１は、収納部１の上部および下部に設けられている。このように、収納部１の上部及び下部に連通部を設けることにより、使用者がリュックサックを背負って水に入った時、重力方向下側の連通部からは水が入り、重力方向上側の連通部からは空気が排出されやすくなるため、使用者の姿勢が早期に安定する。また、使用者が水中から出る際には、収納部１の内部の水が下部の連通部から排出されやすくなる。
【００５４】
（３）連通部であるメッシュ部１１０、１１１は、前面部１１に設けられている。使用者がリュックサックを背負ったとき、前面部１１は使用者の体に接触せず開放されている。そのため、リュックサックが水に入ったとき、メッシュ部１１０、１１１から収納部１の内部に水が入りやすく、また空気も排出されやすい。さらに、前面部１１は浮力材Ｆが設けられていないため、メッシュ部１１０、１１１から水が流れ込むことによって、収納部１は前面部１１を下にして浮き上がりやすくなる。これによって、使用者が水の中で安定した姿勢を保ちやすくなる。
【００５５】
（４）連通部であるメッシュ部１２０およびハトメ孔１２１は、背面部１２の上部に設けられている。前面部１１だけでなく背面部１２にも連通部を設けることによって、収納部１の内部の空気を排出しやすい。また、使用者が水から上がった際に、収納部１の内部の水を排出しやすくすることができる。
【００５６】
（５）連通部であるメッシュ部１３１は、底面部１３に設けられている。底面部１３にもメッシュ部１３１を設けることによって、収納部１の内部へ水を速やかに取り込み、また排出することができる。特に、使用者が水から上がる際には、下側に位置する底面部１３にメッシュ部１３１が設けられていることによって、水が収納部１の内部から抜けやすくなる。
【００５７】
（６）連通部は、複数の孔が形成されたメッシュ部１１０、１１１、１２０、１３１とすることができる。連通部を多数の小さな孔が設けられたメッシュ部とすることで、連通部を広範囲に設けても、収納部１の内部の荷物を保持することができ、かつ荷物が外から見えにくい。
【００５８】
（７）連通部は、ハトメ孔１２１としても良い。水に入るときや水から上がるとき等の、水圧がかかる状態では、ハトメ孔１２１のように比較的大きい孔を設けることによって、水を一気に取り込んだり、排出したりすることができる。なお、背面部１２の上部のメッシュ部の中央にハトメ孔１２１を設けたが、ハトメ孔１２１の位置はこれに限られない。背面部１２のほかの位置や、前面部１１、底面部１３または周面部１４に設けても良い。
【００５９】
（８）周面部１４は、底面部１３と接続する一方の端部から、周面部１４の長手方向に沿って他方の端部まで掛け渡した補強テープ１４１を備える。これによって、リュックサックの強度を向上させることができる。
【００６０】
（９）リュックサックは、背面部１２の下部を幅方向に横断するように取り付けられたヒップベルト４を備え、背面部１２とヒップベルト４の接続部は補強パッド４１に覆われている。ヒップベルト４によって、リュックサックが使用者の身体から脱落するのを防ぐことができる。また補強パッド４１によってリュックサックの強度を向上させることができる。
【００６１】
（１０）背面部１２は、背面部１２と肩ベルト２の接続部分を覆い、背面部１２を幅方向に横断する補強テープ１２２を備える。これによって、リュックサックの強度を向上させることができる。
【００６２】
（１１）リュックサックは、浮力材Ｆが設けられ、一対の胴部６Ａ、６Ｂを備えた胴衣６をさらに有している。収納部１の浮力材Ｆに加えて、浮力材Ｆが設けられた胴衣６を備えることによって、使用者の腹側の浮力を増加させ、使用者が水の中で仰向けに近い状態で浮きやすくすることができる。また、肩ベルト２の先端は、一対の胴部６Ａ、６Ｂの突出部６３の先端の上に重ねられて、背面部１２に取り付けられる。胴部６Ａ、６Ｂの突出部６３と肩ベルト２が、一体的に背面部１２に取り付けられることで、使用者は胴部６Ａ、６Ｂの突出部６３を間に挟んで肩ベルト２を肩に通すことになる。胴部６Ａ、６Ｂの突出部６３には浮力材Ｆが挟み込まれているためクッション性が高く、使用者の肩にかかる負担を低減できる。
【００６３】
４．その他の実施形態
以上、本発明の実施形態を説明したが、本発明は上述の実施形態に限られるものではない。本発明の実際に際しては、本発明の要旨を逸脱しない範囲で、省略や置き換え、変更を行うことができる。
【符号の説明】
【００６４】
１  収納部
２  肩ベルト
３  胸ベルト
４  ヒップベルト
５  股ベルト
６  胴衣
６Ａ、６Ｂ  胴部
７  開口部
１１  前面部
１２  背面部
１３  底面部
１４  周面部
１５  ファスナー
１６  三角布
２１  三角布
２２  リフレクター
２３  アジャスター
４１  補強パッド
４２  取り付け部
６３  突出部
６４  補強テープ
１１０、１１１  メッシュ部
１１２、１１３  波形テープ
１１４  大ポケット
１１５  小ポケット
１１６  ファスナー
１１７  リフレクター
１２０  メッシュ部
１２１  ハトメ孔
１２２  補強テープ
１３１  メッシュ部
１３２  ファスナー
１４１  補強テープ
１４２  取っ手
１４３  サイドポケット
Ｆ  浮力材
Ｄ  隙間
Ｔ  下部縫い付け部
Ｔ１、Ｔ２  縫い目
【図１】
2018154715.tif 000003
【図２】
2018154715.tif 000004
【図３】
2018154715.tif 000005
【図４】
2018154715.tif 000006
【図５】
2018154715.tif 000007
【図６】
2018154715.tif 000008
【図７】
2018154715.tif 000009
【図８】
2018154715.tif 000010
【図９】
2018154715.tif 000011
【図１０】
2018154715.tif 000012
【図１１】
2018154715.tif 000013
【図１２】
2018154715.tif 000014
【図１３】
2018154715.tif 000015
【図１４】
2018154715.tif 000016
【図１５】
2018154715.tif 000017
【国際調査報告】
2018154715.tif 000018
2018154715.tif 000019
2018154715.tif 000020
2018154715.tif 000021